(57)【要約】【課題】  大型のハウス栽培施設に包被される合成樹脂フィルムを簡便能率的に、且安定した固定保持の可能な固定保持材を提供する。【解決手段】  その厚さが０．１ｍｍ以下で且その幅が少なくとも１０ｃｍ以上の合成樹脂フィルムからなり、その長さ方向には適宜の長さで固定フィルム幹部が形成され、且この固定フィルム幹部と厚さ及び幅が同一で而も該固定フィルム幹部の長さ方向に、その間隔が１乃至３ｍで且固定フィルム幹部と直交する対称的二方向に被覆合成樹脂フィルムを固定保持できる長さの固定フィルム枝部が一体的に形成された構造。【選択図】図１
0003137327.tif 000002
【実用新案登録請求の範囲】
【請求項１】
その厚さが０．１ｍｍ以下で且その幅が少なくとも１０ｃｍ以上の合成樹脂フィルムからなり、その長さが適宜の長さからなる固定フィルム幹部と、該固定フィルム幹部と厚さ及び幅が同一で、且該固定フィルム幹部と直交する対称的二方向には、その間隔が１乃至３ｍで而もその長さがハウス栽培施設に包被される被覆合成樹脂フィルム材を固定保持しえる長さの固定フィルム枝部が一体的に形成された構造からなるハウス被覆フィルムの固定保持材。
【請求項２】
固定フィルム幹部に直交して固定フィルム枝部が接合されたうえ、この接合部分が融着若しくは接着されて一体的に形成された請求項一記載のハウス被覆フィルムの固定保持材。
【考案の詳細な説明】
【技術分野】
【０００１】  本考案はハウス栽培施設に被覆展張させる被覆フルムを安定確実に且、簡便能率的に固定させる固定保持材に関する。
【背景技術】
【０００２】  従来蔬菜類や花卉類或いは果樹等は自然条件における露地栽培に依拠してきたものであるが、高度成長期を迎えて高生産高収量化が要請されるに至り、自然条件下における気温の変動、風雨、降霜降雪、或いは鳥害や虫害等農作物の育成阻害要因を排除し育成促進を図る手段として、主に葉菜類等の小農作物に対してトンネル栽培が導入され、著しい育成促進効果と高収量化が実現されたことから順次花卉類や果菜類の如き、比較的大きな農作物にも通称ビニールハウスと称呼されるハウス栽培施設が積極的に導入されている。【０００３】  更に近年においては一方における農作物の自由化と且他方における生活水準の向上に伴う高級化志向とも相俟って、桜桃や柑橘或いはリンゴ等の果樹栽培においてもハウス栽培施設を用いて収量増大と高品質化を図ることがなされ、とりわけ桜桃においては着果及び成熟に亘る極めて短時間に、果実が降雨被水すると果皮からの急激なる水の浸透による実割れが発生し壊滅的被害を被ることから、降雨被水を防止するための雨除けフィルム材を展張させることが不可欠要件とされている。【０００４】  ところでハウス栽培施設は、葉菜類の如くその生育丈も低く且葉枝の展開も僅かなものでは育成床を僅かな高さを以って包被しえるよう、適宜素材からなる保形材を半孤形状に且所要の間隔を以って、それぞれその端縁を床土に埋入させてトンネル状の保形枠を形成のうえ、その外面より比較的狭幅な合成樹脂フィルムを包被させ且該合成樹脂フィルムの両側縁を埋設させて固定させた所謂トンネルハウスなるものであるから、極めて安価で且その設置も簡便になしえるものである。【０００５】  他方果菜類や花卉等においてはその生育丈も略２乃至３ｍに及び且展開も大きなものであるから、ハウス栽培施設の高さも略３乃至４ｍに構築される。これがため栽培農地の外周囲に該栽培農地を囲むように、所要の間隔と且高さの支柱及びその内部にも所要の間隔と且高さの褄柱を立設のうえ、これらの頂部を弧形状のアーチパイプ材で連結し、而してこの外表面全体に合成樹脂フィルム材を被覆展張のうえ、該合成樹脂フィルム材を適宜の金属パッカー等の係止具を以って、アーチパイプ材や支柱或いは裾パイプ材、張りパイプ材等に嵌着係止し、若しくは扁平バンドや紐等で包着固定させている。そしてかかる果菜類や花卉類等のハウス栽培施設は、その高さもせいぜい３乃至４ｍ程度のものであるから、立設並びに連結構築及び合成樹脂フィルム材の被覆展張と、その固定係止等も比較的容易になしえるものである。【０００６】  反面ぶどうや桜桃、柑橘等の果樹類特には桜桃においては図４に示すように果樹自体の樹丈も６乃至８ｍにも及び且果樹の枝葉展開も多量且広大に亘るものであることから、園地の外周囲に所要の間隔と極めて高い支柱Ａと且その内部にも所要の間隔で極めて高い褄柱Ｂが立設されたうえ褄柱Ｂの相互間には峰パイプ材Ｃが連結され、且支柱Ａ及び褄柱Ｂの全体の構造補強を図るために、裾パイプ材Ｄが所要の高さ位置に支柱Ａ及び褄柱Ｂと連結されている。
更に峰パイプ材Ｃからは所要の間隔を以って対称的に孤形状のアーチパイプ材Ｅが延出されその端縁が裾パイプ材Ｄと連結され、而もアーチパイプ材Ｅと直交して所要の間隔に張りパイプ材Ｆが連結されて施設構造体が構築されている。【０００７】  然るに、かかる果樹類のハウス栽培施設は、施設も高く且大型に構築されるため全体の軽量化とコストの低減化を図るうえから、支柱Ａや褄柱Ｂ、峰パイプ材Ｃ、裾パイプ材Ｄ、アーチパイプ材Ｅ及び張りパイプ材Ｆ等は専ら軽量鋼管が使用され構造体が構築され、且その構造体の強度も該構造体に展開張設される合成樹脂フィルム材Ｇへの風圧に対抗しえる構造強度で形成されるものであるが、該構造体に展張被覆される合成樹脂フィルム材Ｇは、その幅が少なくとも１２ｍから２０ｍ程度と広幅で且長さも１２ｍ程度から１００ｍにも及ぶものである。
そしてかかる合成樹脂フィルムＧは、その高さが６乃至８ｍの構造体の頂部峰パイプ材Ｃに沿ってその中央が配位されるよう長さ方向に引張り被覆させるか、或いはアーチパイプ材Ｅの方向に所要の長さに切断のうえ、これを峰パイプ材Ｃに沿って何枚も長さ方向に重ね合わせて被覆させるかして、被覆がなされるものである。【０００８】  果樹用ハウス栽培施設は施設規模が高く広大に亘るものであり、且被覆のための合成樹脂フィルム材Ｇもその幅が略１２乃至２０ｍにも及ぶため、仮令該合成樹脂フィルム材Ｇの中央位置を施設の頂部峰パイプ材Ｃに沿って配位されるよう長さ方向に被覆移動させる場合には、該合成樹脂フィルム材Ｇの中央端縁に誘導ロープＨを結縛のうえ、他方側より牽引させ且峰パイプ材Ｃに配位されるよう送り出し、更には該合成樹脂フィルム材Ｇの送り出とともにその両側縁も均等に送り出しがなされるよう、両側に立設された支柱Ａと裾パイプ材Ｄとの連結部位や、褄柱Ｂと裾パイプ材Ｄとの連結部位に作業者を配し作業をなさねばならず、且誘導ロープＨも他側より複数人の牽引力で牽引させることにより、所謂横掛け被覆をなさねばならない。【０００９】  更に合成樹脂フィルム材Ｇをアーチパイプ材Ｅを被覆しえる長さに多数枚切断のうえ、この適宜数枚を長さ方向に連接重ね合わせて被覆する所謂縦掛けに際しても、その切断縁に誘導ロープＨを結縛のうえ、その誘導ロープＨを一方の支柱Ａ側より頂部を超えて他方の支柱Ａ側に投げ渡し牽引誘導させて被覆するもので、特に高い頂部を超えて他側への投げ渡しは極めて至難な作用なうえ、その誘導ロープＨも柔軟で比較的多重なものが要請されるばかりか、これら作業を長さ方向に多数繰り返さねばならない。加えて重要な作業として、合成樹脂フィルム材Ｇが被覆された場合でも該合成樹脂フィルム材Ｇは薄肉軽量なうえ被覆面積も大きなものであるから、少しの風によっても飛散したりズレや移動が発生するものであるから、直ちに係止固定を図らねばならない。【００１０】  この固定係止には、十分に強靱なうえ被覆された合成樹脂フィルム材Ｇとの接触面積が大きく且結縛性に優れるものが好適であって、現状の固定係止バンドＩとしては図５に示す如くポリ塩化ビニル樹脂の如く比較的多重な素材を用いて、その幅が１０乃至１２ｍｍ程度で厚さが１乃至２ｍｍのテープ状で、且その両側縁に補強用糸条Ｊが埋入されたものが主として用いられてなるものの、該固定係止バンドＩも被覆された合成樹脂フィルム材Ｇを係止固定しえるような長さに切断のうえ、一方側支柱Ａに連結された裾パイプ材Ｄにその一方側を結縛させ、且他方は頂部を経て他方側に投げ渡し、而して他方側支柱Ａと連結されてなる裾パイプ材Ｄに緊張状態を以って結縛させることによりなされるものであるから、かかる固定係止バンドＩの投げ渡しも極めて至難な作業であるばかりか、投げ渡し時には往々にしてブ捩れが発生するためこの捩れの除去をせぬと安定した固定係止もなされず而も被覆展張された合成樹脂フィルム材Ｇが風を孕むと、随所に膨らみが発生したり被覆状態にズレが生じたり、フラッタリングによる合成樹脂フィルム材Ｇの破損や裂損が招来されるため、該固係止バンドＩも５０乃至１００ｃｍ間隔以内の密なる固定係止もなさねばならず、合成樹脂フィルム材Ｇの被覆作用以上に莫大な労働と時間が加重される。【００１１】  考案者はかかる実情に鑑み長時に亘って研究を重ねた結果、果樹用ハウス栽培施設に展張される合成樹脂フィルム材Ｇの固定係止には、その破断強力として略１００ｋｇ程度で十分であること、並びにこの破断強力は使用素材の基本物性と、その幅及び厚さにより自在に選択しえること、及び広面積に亘って被覆展張される合成樹脂フィルム材の確実な固定係止には、少なくともその幅が１０ｍｍ以上の扁平状で且結縛による緊張固定を図る場合の結縛性に優れるものが好都合であることに加え、長さ方向には任意の長さで固定フィルム幹部を設け、且該固定フィルム幹部に所定間隔を以って直交する対称方向に、固定フィルム幹部と同様で且包被された合成樹脂フィルム材を固定係止できる長さの固定フィルム枝部を一体的に形成した固定係止フィルム材を用いることにより、極めて簡便能率的に固定係止が可能なることを究明し本考案に至った。
【考案の開示】
【考案が解決しようとする課題】
【００１２】  本考案は果樹用ハウス栽培施設等の大型ハウス栽培施設に包被される合成樹脂フィルム材を、極めて簡便能率的に且安定した固定保持の可能なハウス被覆フィルムの固定保持材を提供することにある。
【課題を解決するための手段】
【００１３】  上述の課題を解決するために本考案が用いた技術的手段は、その厚さが０．１ｍｍ以下で且その幅が少なくとも１０ｃｍ以上の合成樹脂フィルムからなり、その長さ方向には適宜の長さで固定フィルム幹部が形成され、且この固定フィルム幹部と厚さ及び幅が同一で、且該固定フィルム幹部の長さ方向にはその間隔が１乃至３ｍで、而も該固定フィルム幹部と直交する対称的二方向には、被覆合成樹脂フィルム材を固定係止できる長さの固定フィルム枝部が一体的に形成されてなる構造の、ハウス被覆フィルムの固定保持材に存するものであり、更には固定フィルム幹部に直交して対称的且一体的に形成される固定フィルム枝部が融着若しくは接着されて形成された構成に存する。
【考案の効果】
【００１４】  本考案は上述の如き手段を用いてなるもので、使用素材の厚さが０．１ｍｍ以下で且その幅が少なくとも１０ｃｍ以上の合成樹脂フィルムが使用されるとともに、固定フィルム幹部が適宜の長さに形成され、而もこの固定フィルム幹部の長さ方向には該固定フィルム幹部と厚さ及び幅が同一で、且その間隔が１乃至３ｍで而も該固定フィルム幹部と直交する対称的二方向に被覆合成樹脂フィルムを固定係止できる長さの固定フィルム枝部が一体的に形成されてなるから、ハウス施設に包被された合成樹脂フィルム材の頂部に沿って一方側より他方側に誘導ロープ等で移行させることにより、対称的に形成された固定フィルム枝部が所定の間隔を以って相互の傾斜面に沿って配位されるため、それぞれの固定フィルム枝部の端縁を裾パイプ材等に地上作業として結縛させるのみで固定保持がなしえ、極めて簡便且能率的に固定保持がなしえる。そして本考案はその幅が少なくとも１０ｃｍ以上と広いため、包被された合成樹脂フィルム材と広い接触面を以って緊張状に固定保持がなされるため、風の孕みや風圧の付加でも膨らみやズレ、移動することが無く、且厚さも極めて薄肉であるから、結縛に際しては容易に絞縮されるために結縛も強固且容易になしえることとなる。
【考案を実施するための最良の形態】
【００１５】  ポリエチレンフィルムからなり、その厚さが０．０８ｍｍ幅１５ｃｍでその長さが適宜に形成された固定フィルム幹部に、該固定フィルム幹部と同一の厚さと幅で、且該固定フィルム幹部の長さ方向に１ｍの間隔で而も該固定フィルム幹部に直交する対称的二方向に、被覆合成樹脂フィルム材を固定係止できる長さの固定フィルム枝部が一体的に形成された構造。
【実施例１】
【００１６】  以下に本考案実施例を図とともに詳細に説明すれば、図１は本考案の一部切欠説明図、図２は融着若しくは接着部分の拡大説明図であり、図３は本考案の使用態様図であって、本考案固定保持材１はその使用素材としては、被覆合成樹脂フィルム材を固定保持させるうえから接触面積を大きく形成させること、及び固定保持に際しての結縛に際しては容易に絞縮されて結縛し易くするうえから、合成樹脂フィルムからなり、その厚さが０．１ｍｍ以下で且その幅が１０ｃｍ以上に裁断された適宜の長さで固定フィルム幹部１Ａが形成されるものである。
かかる場合の固定フィルム幹部１Ａの長さは、ハウス栽培施設２の長さ分で使用されるが小さな施設でも略１０乃至１５ｍ、大きな施設では略５０乃至１００ｍにも及ぶものもあることから、なるべく長く形成しておくことが有利である。
更に合成樹脂フィルムの素材としては、長期に亘って使用する場合には耐候性に優れるものが望まれるため、ポリエステルやポリアミド系合成樹脂フィルムが好適であるが、桜桃用のハウス栽培施設の如く短期の使用の場合には、ポリエチレンやポリプロピレン樹脂フィルムがコスト的安価なうえで有利である。【００１７】  更に固定フィルム幹部１Ａには、その長さ方向に該固定フィルム幹部１Ａを形成する合成樹脂フィルムの厚と幅で且その間隔が１乃至３ｍで、而も該固定フィルム幹部１Ａと直交する対称的二方向に、ハウス栽培施設に包被される被覆合成樹脂フィルム材を固定保持しえる長さの固定フィルム枝部１Ｂが一体的に形成されて本考案固定保持材１が形成される。かかる場合に固定フィルム幹部１Ａ及び固定フィルム枝部１Ｂの幅は、ハウス栽培施設２の長さが長いもの程幅の広いものが好都合であるが、主として固定フィルム枝部１Ｂの形成間隔と関係し、形成間隔が１．０乃至１．５ｍでは１０乃至１５ｃｍ、形成間隔が１．５乃至３．０ｍでは１５乃至２０ｃｍ程度で十分で、これ以上の幅は結縛に困難となる。
加えて固定フィルム枝部１Ｂの具体的長さは、ハウス栽培施設２を形成する頂部の峰パイプ材２Ａから、該ハウス栽培施設２の略中段に連結される裾パイプ材２Ｂに亘って配設されるアーチパイプ材２Ｃの長さに相当するものであるが、ハウス栽培施設２も果樹の大きさによっても異なるものであるが、アーチパイプ材２Ｃの長さは概ね６乃至１０ｍであるから、かかる長さに合わせて形成されれば良い。【００１８】  ところで本考案固定保持材１は図１に示すように素材として選択された広幅の合成樹脂フィルムを、固定フィルム幹部１Ａと且所定の間隔を以って固定フィルム枝部１Ｂが所要の長さで対称的に連続して打抜き形成させることでも可能であるが、打抜き装置や広いスペースの確保にやや難点がある。
これがため図２に示すように融着若しくは接着形成させることが有利であって、同２図のＡにおいては合成樹脂フィルムを所望の幅と長さに裁断して固定フィルム幹部１Ａを形成し、而して固定フィルム幹部１Ａに裁断してなる細幅状フィルムを該固定フィルム幹部１Ａの長さ方向に所定の間隔を以って直交するように且その長さが、ハウス栽培施設に包被される被覆合成樹脂フィルム材を固定保持しえる長さに切断して、固定フィルム枝部１Ｂとなしたうえ重ね合わせたうえ、高周波や超音波若しくはインパルスシーラー等により融着１Ｃせしめて一体的に形成させ、或いは同図２のＢに示すように固定フィルム幹部１Ａに固定フィルム枝部１Ｂを重ね合わせたうえ接着剤により接着１Ｄせしめて形成させても良い。【００１９】  かくして形成されてなる本考案固定保持材１は、図３に示すように被覆合成樹脂フィルム材２Ｄが包被されたハウス栽培施設２の頂部をその長さ方向の一方側より他方側に適宜の誘導ロープ１Ｅを用いて牽引移行させることにより、固定フィルム幹部１Ａと直交して対称的に所要の長さで且所定間隔に一体的に形成されてなる固定フィルム枝部１Ｂも頂部より両側のアーチパイプ材２Ｃの弧形面に沿って移行配位されるため、この配位された固定フィルム枝部１Ｂの端縁を裾パイプ材２Ｂに結縛させることにより、包被された合成樹脂フィルム材が均質且安定した状態で固定保持される。【００２０】  かかる本考案固定保持材１は、ハウス栽培施設２の長さや幅が多様に亘るものであるから、そのハウス栽培施設２の長さが長いものでは、固定フィルム幹材１Ａ及び固定フィルム枝材１Ｂの幅はやや広く形成させることが望まれる。更に固定フィルム枝部１Ｂの長さもそれぞれに異なるものであるが、その該固定フィルム枝部１Ｂの長さ自体の差異は１乃至２ｍ程度であるから、素材コストの安価さを加味するとやや長めに形成し兼用できるようにしておくことが有利である。
【産業上の利用可能性】
【００２１】  固定フィルム幹部を十分に長く且固定フィルム枝部を兼用できる長さに形成しておき、固定フィルム幹部の長さ方向を使用するハウス栽培施設の長さに切断のうえ、該ハウス栽培施設の頂部に一方側より牽引移行させたうえ、固定フィルム枝部端縁を結縛させるのみで容易に利用できる。
【図面の簡単な説明】
【００２２】
【図１】  本考案の一部切欠説明図である。
【図２】  本考案の融着若しくは接着部分の拡大説明図である。
【図３】  本考案の使用態様図である。
【図４】  従来の桜桃用ハウス栽培施設の被覆フィルムの固定係止説明図である。
【図５】  固定係止バンドの説明図である。
【符号の説明】
【００２３】    １        本考案固定保持材
１Ａ      固定フィルム幹部
１Ｂ      固定フィルム枝部
１Ｃ      融着
１Ｄ      接着
１Ｅ      誘導ロープ
２        ハウス栽培施設
２Ａ      峰パイプ材
２Ｂ      裾パイプ材
２Ｃ      アーチパイプ材
【図１】
0003137327.tif 000003
【図２】
0003137327.tif 000004
【図３】
0003137327.tif 000005
【図４】
0003137327.tif 000006
【図５】
0003137327.tif 000007